(57)【特許請求の範囲】
【請求項１】
電気シェーバーであって、第１のアンダーカッター（２５）及び第１の非ホイル型上部カッター（２８）が提供される、少なくとも第１の長髪カッター要素（１０）であって、前記第１のアンダーカッター（２５）及び前記第１の上部カッター（２８）のうちの少なくとも一方が、軸ｘに対して平行な方向において他方に対して振動する、第１の長髪カッター要素（１０）と、前記第１の上部カッター（２８）に隣接して提供され、軸ｘに対して平行に延伸する、少なくとも１つのガード（２２、２３）であって、前記ガード（２２、２３）は、各々に皮膚接触最上部（３４、３５）が提供される、複数の歯（３７）を有する櫛構造が提供され、それらの間に毛髪をガイドするための下部を各々有する複数のスロット（３８）が前記歯の間に提供され、前記櫛構造は、マイクロ櫛構造（２９）として提供され、マイクロ櫛構造（２９）は、０．２〜０．７ｍｍの範囲の前記歯の前記最上部から前記スロットの前記下部までの前記スロットの深さ（ｏ）を有し、前記歯の幅は、０．３〜０．７ｍｍの範囲であり、軸ｘに沿ったその長手方向の延伸部分に沿う方向における各スロットの幅は、０．３〜０．７ｍｍの範囲であり、
前記ガードは、前記シェーバー内に前記ガードを搭載するための基底構造を備え、前記ガードは、前記基底構造に前記櫛構造を接続するための傾斜部分を更に備え、前記傾斜部分は、第１の間隙（Ｕ）が前記歯の前記皮膚接触最上部と前記第１の上部カッターの隣接面との間で提供されるように、前記第１の長髪カッター要素から離れる方向において傾斜しており、
第２のアンダーカッターと第２のホイル型上部カッターとを有する、少なくとも第１の短髪カッター要素が提供され、前記第２のアンダーカッター及び前記第２のホイル型上部カッターの一方又は両方は、軸ｘに対して平行な方向において他方に対して振動し、前記第１の短髪カッター要素及び前記第１の長髪カッター要素は、両方の間に延伸する前記ガードと並んで配設され、第２の間隙（Ｖ）が、前記ガードの前記歯の前記皮膚接触最上部と前記第２の上部カッターの隣接面との間で同じ高さレベルで形成され、前記第２の間隙の軸ｘと直交する幅方向における幅が、前記第１の間隙の軸ｘと直交する幅方向における幅に等しいか又は最大でその３倍であり、
前記第１の長髪カッター要素及び前記第１の短髪カッター要素が、シェーバー柄部に向かって、かつ離れて浮揚可能であるように、シェーバーヘッド内に配設され、前記第１の短髪カッター要素が、前記第１の長髪カッター要素から独立して浮揚するように配設され、
少なくとも一つのガードは、前記第１の長髪カッター要素と前記第１の短髪カッター要素との間に提供される、電気シェーバー。
【請求項２】
前記各スロットの幅は、０．４〜０．６ｍｍの範囲であり、
前記第１の上部カッターの皮膚接触面は、前記歯の前記ガードの前記皮膚接触最上部に対して前記皮膚に向かう方向において突出し、そのため、両方の上面間の距離は、０．１〜０．４ｍｍである、請求項１に記載のシェーバー。
【請求項３】
前記第２のアンダーカッターと前記第２のホイル型上部カッターとを有する、少なくとも前記第１の短髪カッター要素が提供され、前記第２のアンダーカッター及び前記第２のホイル型上部カッターのうちの少なくとも一方が、軸ｘに対して平行な方向において他方に対して振動し、前記第１の短髪カッター要素及び前記第１の長髪カッター要素は、両方の間に延伸する前記ガードと並んで配設され、前記第２の間隙が、前記ガードの前記歯の前記皮膚接触最上部と前記第２の上部カッターの隣接面との間に形成され、前記第２の間隙の軸ｘと直交する幅方向における幅が、前記第１の間隙の軸ｘと直交する幅方向における幅に等しいか又は最大でその２倍である、請求項２に記載のシェーバー。
【請求項４】
前記ガードの各歯は、その両側で、軸ｘに沿った方向において、その長手方向の延伸部分に沿って丸みが提供され、かつ両側で、軸ｘに直交し、前記隣接する第１の上部カッターから離れる方向に沿って丸みが提供される、請求項１〜３の少なくとも一項に記載のシェーバー。
【請求項５】
前記ガードは、熱可塑性材料から作製されている、請求項１〜４の少なくとも一項に記載のシェーバー。
【請求項６】
前記ガードは、金属材料から作製されている、請求項１〜５の少なくとも一項に記載のシェーバー。
【請求項７】
ガード要素が、スリーブとして形成される単一片として作製され、前記第１の長髪カッター要素に、横方向の非切断側壁が提供され、前記ガード基底構造は、前記第１の長髪カッター要素の前記側壁を覆っている、請求項１〜６の少なくとも一項に記載のシェーバー。
【請求項８】
前記第１の長髪カッター要素の各側面上の１つのガードと、前記ガードのうちの一方と並んで配設された第２の短髪カッター要素と、他方のガードと並んで配設された第３の短髪カッター要素とをさらに備える、請求項１〜７の少なくとも一項に記載のシェーバー。
【発明の詳細な説明】
【技術分野】
【０００１】
電気シェーバーであって、第１のアンダーカッター及び第１の非ホイル型上部カッターが提供される、少なくとも第１の長髪カッター要素であって、第１のアンダーカッター及び第１の上部カッターのうちの一方又は両方が、軸ｘに対して平行な方向において他方に対して振動する、第１の長髪カッター要素と、第２の上部カッターに隣接して提供され、軸ｘに対して平行に延伸する、少なくとも１つのガードであって、各々に皮膚接触最上部が提供される、複数の歯を有する櫛構造が提供され、それらの間に毛髪をガイドするための下部を各々有する複数のスロットが歯の間に提供される、ガードと、を備える、電気シェーバー。
【背景技術】
【０００２】
上述の種類の除毛装置は、先行技術で既知である。異なる動作原理によって設計された多数の異なる除毛装置がある。
【０００３】
既知の電気シェーバーは、上部及び下部カッターとともに動作し、上部カッターは、通常は剃毛ホイルとして作られ、下部カッターは、カッターブロックとして作られる。このようなカッターユニットは、短髪カッターを形成する場合がある。剃毛ホイルにおける開口部を通して、あごひげ無精ひげが剃毛ホイルの下の空間内に進み、そこで下部カッター刃と係合し、剃毛される。複数のカッターユニットが、長髪カッターと並んで配設されている１つのシェーバーヘッド内に提供されてもよい。加えて、同じ原理により動作するが、回転型下部刃を用いる回転式剃毛システムが存在する。
【０００４】
非常に多くの場合に、長髪カッター、又はいわゆる予備カッターが用いられており、これを用いて、長すぎるあごひげが、前述した短髪切断システムを用いる前に短くされて、剃毛時間及び剃毛結果が改善されることになる。これらの装置は、あごひげ用予備カッター、あごひげ用トリマーなどとも呼ばれる。全身除毛装置、又は女性用かみそりも、概して同じ原理によって動作する。
【０００５】
上述の種類の装置では、例えば、あごひげの毛を持ち上げるために、剃られる皮膚を機械的に準備することにより剃毛結果を改善することができることが既知である。
【０００６】
米国特許第２００１／００２７６０８Ａ１号から、切断ユニットの前部に位置した皮膚を支持するための縁部を有する剃毛装置が既知である。縁部は、比較的鋭い縁部で終端する広い接触面を有する。
【０００７】
国際公開第ＷＯ２００７／１０５１３８Ａ２号で開示された装置は、同じ原理によって動作する。
【０００８】
これらのシステムの欠点は、かみそりが皮膚に沿って前進するとき、皮膚の起伏が縁部の手前に形成され、かみそりが前進する際に皮膚に張力が生じて、一方で皮膚を刺激させる可能性があり、他方で毛の根元が皮膚の下層で固定されながら皮膚が毛の先端に向けてふくれ上がる原因となり、毛が皮膚に事実上引き戻されることになり、完全な剃毛に望ましい毛の根元の近くを切断することに不利に働く。かみそりが皮膚にしっかりと圧接されればされるほど、かつ、例えば喉又は体の他の領域など、皮膚が柔らかければ柔らかいほど、この作用が増大する。更に、皮膚上の機械的応力により、より大きい皮膚の起伏がかみそりの前に押されて、ますます皮膚が刺激されることが示されている。
【０００９】
英国特許第ＧＢ５１９，３６７号から、毛の起こしを引き起こす目的で、更にかみそりが動く方向に対して横方向に配向される皮膚の張力の分配を生じさせる目的で、前部に位置決めされたスロット又は櫛型の保護装置を有するかみそりが既知である。かみそりが動く方向では、皮膚保護装置は、皮膚保護装置及び剃毛ホイルを介して、皮膚が弧の形状で引っ張られるように配置されている。切断すべき毛髪を持ち上げて再配向することが、動きの方向と交差する皮膚張力の分布を発生させる要素を介して実現される。
【先行技術文献】
【特許文献】
【００１０】
【特許文献１】米国特許第２００１／００２７６０８Ａ１号
【特許文献２】国際公開第ＷＯ２００７／１０５１３８Ａ２号
【特許文献３】英国特許第ＧＢ５１９，３６７号
【発明の概要】
【発明が解決しようとする課題】
【００１１】
上記システムの不利点は、既知の櫛構造では皮膚刺激性が強すぎることが分かっていること、及び櫛のないガード構造では切断前の毛髪が平坦化すぎることが分かっていることである。
【課題を解決するための手段】
【００１２】
したがって、本発明の目的は、皮膚炎を生じさせることなく長髪カッター要素のすべての利益を可能とする電気シェーバーを提供することである。
【００１３】
この目的は、請求項１に記載の電気シェーバーによって実現される。有利な実施形態が、従属請求項の主題である。
【００１４】
したがって、電気シェーバーは、第１のアンダーカッター及び第１の非ホイル型上部カッターが提供される、少なくとも第１の長髪カッター要素であって、第１のアンダーカッター及び第１の上部カッターのうちの一方又は両方が、軸ｘに対して平行な方向において他方に対して振動する、第１の長髪カッター要素と、第１の上部カッターに隣接して提供され、軸ｘに対して平行に延伸する、少なくとも１つのガードであって、各々に皮膚接触最上部が提供される、複数の歯を有する櫛構造が提供され、それらの間に毛髪をガイドするための下部を各々有する複数のスロットが歯の間に提供される、ガードと、を備える。櫛構造を、０，２〜０，７ｍｍの範囲の歯の最上部からスロットの下部までのスロットの深さを有するマイクロ櫛構造として提供することによって、櫛歯は、やはり櫛として有効に作動することができ、また長髪カッターによって切断すべき毛髪を再配向するか又は持ち上げる一方で、このガードによって高い皮膚快適性を保証することができる。
【００１５】
これら及び他の利点は、図面及び可能な実施例を参照しながら以下の説明からより明らかとなる。
【図面の簡単な説明】
【００１６】
【図１】本発明によるシェーバーヘッドが取り外された電気シェーバーの斜視図を示す。
【図２】図１のシェーバーによるシェーバーヘッドの分解斜視図を示す。
【図３】図１のシェーバーによるシェーバーヘッドを通って切断した側面切断図を示す。
【図４】図１のシェーバーによるシェーバーヘッドの側面図を示す。
【図５】図１のシェーバーの平面図を示す。
【図６】図１によるシェーバーのガード要素及び第１の長髪カッターを通る側面切断図を示す。
【図７】図１によるシェーバーのガードの長手方向を通る切断図を示す。
【発明を実施するための形態】
【００１７】
毛髪を、長髪カッター要素によって切断する前に適切に持ち上げることができるように、間隙を提供する必要があることが明らかになった。こうして、ガードは、シェーバー内に前記ガードを搭載するための基底構造を備え、ガードは、基底構造に櫛構造を接続するための傾斜部分を更に備え、前記傾斜部分は第１の長髪カッター要素から離れる方向に傾斜している結果、第１の間隙（Ｕ）が皮膚接触歯の最上部と第１の上部カッターの隣接面との間で同じ高さレベルで提供されている。
【００１８】
長髪カッター要素と短髪カッター要素との間で皮膚波を適切に支持するために、少なくとも、第２のアンダーカッターと第２のホイル型上部カッターとを有する第１の短髪切断要素が提供され、アンダーカッター及び上部カッターのうちの一方又は両方が、軸ｘに対して平行な方向において他方に対して振動し、前記第１の短髪カッター要素と前記第１の長髪カッター要素とは両方の間を延伸するガードと並んで配設され、第２の間隙が、歯のガードの皮膚接触最上部と第２の上部カッターの隣接面との間に同じ高さレベルで提供され、第２の間隙の軸ｘと交差する幅方向の幅が、第１の間隙の軸ｘと交差する幅方向の幅に等しいか又はその最大で３倍である。この交差する方向は、シェーバーヘッドが皮膚上に動く方向に対応する。こうして、皮膚上に移動するシェーバーヘッドは、異なるカッター要素間に提供された間隙内で引っ張られない皮膚波を発生させてもよい。これは、カッター要素が互いに対して移動可能であってもよい場合にも有用である。
【００１９】
より好ましくは、少なくとも、第２のアンダーカッターと第２のホイル型上部カッターとを有する第１の短髪切断要素が提供され、アンダーカッター及び上部カッターのうちの一方又は両方が、軸ｘに対して平行な方向において他方に対して振動し、前記第１の短髪カッター要素と前記第１の長髪カッター要素とは両方の間を延伸するガードと並んで配設され、第２の間隙が歯のガードの皮膚接触最上部と第２の上部カッターの隣接面との間に提供され、第２の間隙の軸ｘと交差する幅方向の幅が第１の間隙の軸ｘと交差する幅方向の幅に等しいか又はその最大で２倍である。
【００２０】
ガードの皮膚快適性を更に高めるために、ガードの各歯は、両側で、その長手方向の延伸部分に沿って、軸ｘに沿った方向に丸みが提供され、また両側で、軸ｘに交差して隣接の第１の上部カッターから離れる方向に丸みが提供されている。これによって、例えば隣接する短髪カッターが下方に浮揚した状態でガードが皮膚に対して十分に露出していても、ガードの縁部のわずかなスクラッピング（scrapping）動作も回避される。
【００２１】
ガードの皮膚快適性を更に高めるために、軸ｘに沿ったその長手方向の延伸部分に沿う方向における各歯の幅及び各スロットの幅は、ほぼ等しく、及び／又は歯の幅は、０，３〜０，７ｍｍに及び、及び／又はスロットの幅が０，３〜０，７ｍｍに及んでいる。より好ましくは、各スロットの幅は、０，４〜０，６ｍｍであってもよい。
【００２２】
ガードの皮膚快適性を更に高めて、有効な長髪切断を維持するために、第１の上部カッターの皮膚接触面は、歯のガードの皮膚接触最上部と比べて皮膚に向かう方向に突出する結果、両方の上面間の距離は０，１〜０，４ｍｍである。代替的に、歯表面の最も高いレベルと第１の上部カッターの最も高いレベルとの間のこの距離は、０〜０、３ｍｍ又は０〜０、５ｍｍであってもよく、歯最上面は、柄部により近く、第１の上部カッターの最上面は、歯最上面と比べてユーザ皮膚に向かって突出しているか、又は両方とも同じレベルである。「最上面」は、皮膚接触面に最も近いことを意味するものとする。
【００２３】
好ましくは、ガードは、熱可塑性材料から作製されている。ガードは、硬質若しくは軟質成分熱可塑性物質又は両方の組み合わせから作製されていてもよい。これもまた、別の独立請求項の主題であり得る。代替的に、ガードは、金属材料から作製されている。
【００２４】
ガードを長髪カッター要素と組み合わせて製造及び組み立てることを容易にするために、ガード要素は、スリーブとして形成される単一片として作製され、第１の長髪カッター要素には、横方向の非切断側壁が提供され、前記ガード基底構造は、第１の長髪カッター要素の側壁を覆っており、ガード要素は、第１の長髪カッター要素の両側に、櫛マイクロ構造を伴うガードを備える。こうして、長髪カッター要素は、その側壁にガード要素によって埋め込まれている。好ましくは、しかし必ずしも要求されないが、このようなスリーブ状ガード要素は、熱可塑性材料から作製されている。
【００２５】
第１の長髪カッター要素の操作性を改善するために、前記第１の長髪カッター要素及び第２の短髪カッター要素は、シェーバー柄部に向かって、かつそれから離れて浮揚可能であるようにシェーバーヘッド内に配設され、第２の短髪カッター要素は、第１の長髪カッター要素から独立して浮揚するように配設されている。こうして、第１の長髪カッター要素は、十分に延伸して、隣接する第２の短髪カッターは十分に後退して、皮膚内の到達困難な場所（例えば、鼻部の下）で長髪を捕らえることが可能にし得る（図４を参照）。
【００２６】
カッター振動方向に対して横方向におけるシェーバーヘッドのコンパクトな全体幅を妥協するために、第１の長髪カッター要素の各側に提供された１つのガードと、ガードの一方と並んで配設された第２の短髪カッター要素と、他方のガードと並んで配設された第３の短髪カッターとを配設することが好ましい。こうして、第１の長髪カッター要素及び周囲のガードは、シェーバーヘッドの中央に配置されている。また、ガードを他の種々のカッター配置で用いてもよく、シェーバーヘッドの側面に配置してもよい。
【００２７】
代替的に、電気シェーバーは、第１のアンダーカッター及び第１の非ホイル型上部カッターが提供される、少なくとも第１の長髪カッター要素であって、第１のアンダーカッター及び第１の上部カッターのうちの一方又は両方が、軸ｘに対して平行な方向において他方に対して振動する、第１の長髪カッター要素と、第１の上部カッターに隣接して提供され、軸ｘに対して平行に延伸する、少なくとも１つのガードであって、各々に皮膚接触最上部が提供される、複数の歯を有する櫛構造が提供され、それらの間に毛髪をガイドするための下部を各々有する複数のスロットが歯の間に提供され、櫛構造は、０，３〜０，７ｍｍの範囲の、軸ｘに沿ったその長手方向の延伸部分に沿う方向の各スロットの幅を有する、マイクロ櫛構造として提供されている、ガードと、を備える。
【００２８】
これら及び他の特徴は、図面に示す実施例からより明らかとなる。
【００２９】
図１から分かるように、シェーバー１は、シェーバーを保持するためのハンドピースを形成するシェーバーハウジング２を有していてもよい。シェーバーハウジング２は、異なる形状を有していてもよく、例えば、大まかに言うと、人間工学的にシェーバーを掴んで保持することを可能にする、実質的に円筒形状又は箱形又は骨形状であり、このようなシェーバーハウジングは、このようなハウジングの細長い形状に起因する長手方向のシェーバーハウジング軸ｚを有している（図１を参照）。
【００３０】
シェーバーハウジング２の一方の端部において、シェーバーヘッド３が、シェーバーハウジング２に取り付けられており、シェーバーヘッド３は、前述の長手方向のシェーバーハウジング軸に実質的に垂直に延伸しているシェーバーヘッド旋回軸ｘの周りに旋回可能に支持することができる。シェーバーハウジング２は、一対の支持アームがシェーバーハウジング２のシェーバーヘッド端部から突出していてもよく、この支持アーム間で、例えばシェーバーヘッドフレームに関する、シェーバーヘッド３のキャリア構造を、前記シェーバーヘッド旋回軸の周りに旋回可能に搭載することができる。図に示すシェーバーは、シェーバーヘッド内で各カッター要素を（軸ｚに沿って）独立して浮揚させて旋回することによって、皮膚外形へのカッター要素の適応性を可能にする型である。そのシェーバーヘッド又は部品がハウジング２に対して動句ことを可能にする別の方法を適用してもよい。
【００３１】
図１及び３から分かるように、シェーバーヘッド３は、一対の第２及び第３の短髪カッター要素４、５を含んでいてもよく、このようなカッター要素４、５のうち１つのみ又は３つ以上を提供してもよい。このようなカッター要素４、５は、それぞれのアンダーカッター６を覆うせん断ホイル型上部カッター７と協働する複数のせん断刃を伴うブロック状アンダーカッター６を形成してもよい。前記カッター要素４、５は、細長い形状を有して、長手軸が前述のシェーバーヘッド旋回軸に実質的に平行に及び／又は切断振動軸８に実質的に平行に延伸していてもよく、切断振動軸８に沿って、カッター要素４、５は、振動可能に駆動される（多くの場合に、アンダーカッター６のみが伝達部ピン８によって能動的に駆動され、上部カッターは固定されているか又はアンダーカッター振動と反対にやはり駆動される）。
【００３２】
更に、１つ以上の長髪カッター要素１０が、シェーバーヘッド３内に提供されている。この例では、１つ（又は代替的に２つ）の長髪カッター要素が、短髪カッター要素間に配設されている。図３から分かるように、第１の長髪カッター１０は、第１の上部カッター２８と第１のアンダーカッター２５とを備える。第１の上部カッターは通常、平坦な非ホイル型刃であり、曲がりくねった道型（図５参照）又は他の刃パターンを伴っている。第１のアンダーカッター２５は、断面がＵ形状で、その中央部分が第１の上部カッターと相互に作用し、他方のカッターに対して振動して毛髪を切断する（図６を参照）。長髪及び短髪カッター要素を互いに対して任意に配置することが可能であり得る。
【００３３】
シェーバーハウジング２内（又は剃毛ヘッド内）に収容して、シェーバーヘッド３におけるすべてのカッター要素４、５を駆動し得る、駆動ユニット９は、線形振動型又は回転型であり、伝達部ピン８を駆動してもよい。
【００３４】
図２に示すように、シェーバーヘッド３は、上向きに突出するカッター支持ピン１２、１３、１４、１５、１６、及び１７が提供されている、シャーシ支持部品１１を備え、その２本のピン（シャーシ１１の各側にピンが１本ある）が、その上で短髪又は長髪カッター要素を支持するために提供されている。こうして、ピン１２、１５は、シェーバーヘッド３の一方の側で、第２の短髪カッター要素４を保持し、そして、シャーシ１１側の中央に配置されているピン１３、１６は、第１の長髪カッター要素１０を保持し、シャーシ１１の他方の側のピン１４、１７は、他方の第３の短髪カッター要素５を保持するために提供されている。
【００３５】
第１の長髪カッター要素１０は、スリーブ形状のガード要素１９に覆われている。前記ガード要素は、射出成形によって、熱可塑性材料から単一／１つの部片として作製されている。長髪カッター１０の上部カッターは、スリーブ形状のガード要素１９によって形成された最上部開口部を通って突出しており、それによって長い体毛を切断してもよい。前記第２及び第３の短髪カッター要素もまた、熱可塑性物質カッターフレーム２０、２１に覆われている。前記カッターフレーム２０、２１の最上部開口部内に、上部カッター（すなわちせん断ホイル）が提供されている。すべてのカッター要素４、５及び１０は、その側壁においてフレーム１８によって覆われているか又は囲まれている。
【００３６】
図３は、シェーバーヘッド３の中央を通して切断した側面を示す。伝達部ピン８は各々、カッター要素のそれぞれのアンダーカッター６、２５を駆動する。ガード要素１９は、第１の長髪カッター要素１０を十分に覆っている下部の基底構造２４を備える。基底構造２４は、第１の長髪カッターから離れて、かつ隣接している短髪カッター要素に向かう方向において傾斜している傾斜部分２６まで、皮膚接触領域に向かって延伸している。傾斜部分２６は、その第１の長髪カッター要素１０の方に向けられた側に、櫛構造がすでに提供されていてもよいしそうでなくてもよい。ガード要素１９は更に、傾斜部分２６に従うガード２２、２３を備える。ガード２２、２３は、アンダーカッターの振動運動方向に対して平行な方向、又はシェーバー運動方向２７に交差する方向において、実質的に長手方向に延伸する。ガード２２、２３には、第１の長髪カッター要素１０の各長手側にマイクロ櫛構造２９が提供されている。
【００３７】
ガード２２、２３は、第１の長髪カッター要素の側面から、特に上部カッター２８から、離間配置されている。この空間により、隣接している短髪カッターと長髪カッターとの間の間隙において、より良好な皮膚波形成及び皮膚支持が可能になる。ガード２２、２３の内側の最も高い側（第１の長髪カッター要素１０の方を向く）と第１の上部カッター２８の外側との間で、第１のアンダーカッター振動方向と交差する方向において、この自由空間を可能にするために、第１の間隙Ｕが提供される。最も高い側は、皮膚接触のために提供された部分を意味する。第２の間隙Ｖが、ガード２２、２３の各反対側で、隣接している第２及び第３の短髪カッター要素４、５の方をそれぞれ向く方向に提供されている。また、この第２の間隙Ｖは、ガード２２、２３並びに第２及び第３の上部カッター７の隣接している部品の同じ最も高い高さレベル上で（軸ｚに沿って）第１の間隙Ｕとして測定される。第１及び第２の間隙は等しく広くてもよいし、又は第２の間隙は、第１の間隙と比べて最大で１．５倍、最大で２倍、又は最大で３倍広くてもよい。これは、一方では適切な皮膚支持と、他方では適切な毛髪再配向とで、ガード２２、２３の櫛部分によってバランスを取る。第１の間隙Ｕは、０，７〜１，７ｍｍ又は０，８〜１，５ｍｍに及んでもよい。
【００３８】
図３から分かるように、代替的に、一方の側のガード２２、２３と第１の上部カッター２８との間の自由空間、及び他方の側のガード２２、２３と第２及び第３の上部カッター７との間の自由空間、並びに上部カッター間のガード２２、２３の位置を以下のように規定してもよい。距離ｔ１が、第１の上部カッター２８の長手方向の中央／中間線／軸と、ガード２２の長手方向の中央／中間線／軸との間に提供される。距離ｔ２が、第３の上部カッター７の長手方向の中央／中間線／軸と、ガード２２の長手方向の中央／中間線／軸との間に提供される。距離Ｔは、第３の上部カッター７の長手方向の中央／中間線／軸と、第１の上部カッター２８の長手方向の中央／中間線／軸との間のｔ１及びｔ２の合計である。ガード要素は軸ｘに対して鏡面対象であるため、同じ距離ｔ１及びｔ２が、第１の長髪トリマー１０の第２の短髪カッター要素４に対する他方の側のガード２３に対して当てはまる。ｔ１はｔ２に等しくてもよいし、又はｔ２はｔ１と比べて最大で１，５倍又は最大で２倍又は最大で３倍大きくてもよい。
【００３９】
上記で提供した空間／間隙及び距離ｔ１、ｔ２によって、ユーザが皮膚に向けて高圧を印加して剃毛し得る場合であっても、皮膚が間隙に入らないことが保証される。
【００４０】
図４は、カッター要素４、１０、及び５が浮揚可能であり、第２の短髪カッター要素４が十分に後退しているために、他方の２つの非後退のカッター要素１０、５が剃毛すべき皮膚に対して十分に延伸するか又は露出している様子を示す。第１の長髪カッター要素１０の第１の上部カッター２８の側に歯及び縁部が提供されているために、本明細書で記載したガード２２、２３がないか又は既知のガードがある場合には、この浮揚状態で剃毛したときに不快かつ皮膚刺激性である。
【００４１】
図５は、ガード２２、２３のマイクロ櫛構造２９と、平面斜視図から前述される各ガードの両側で隣接している上部カッターに対するその位置を示す。
【００４２】
図６は、アンダーカッターの振動運動方向と交差し、シェーバー１の長手軸ｚと交差している軸ｙに沿った、ガード要素１９及び第１の長髪カッター要素を通る断面図を示す。櫛構造２９におけるその皮膚接触面と対応する、ガード２２、２３のプラトー表面３５、３４は、その横方向の延伸部分において、両方向に向かって、したがって第１の上部カッター２８に向かって、またそこから反対方向に離れて、丸くなっている３０、３２、３１、３３。加えて、最上面３６、すなわち第１の上部カッター２８の皮膚接触面は、ガード２２、２３のプラトー表面３４、３５又は最上面と等しいか又はそれより距離Ｓだけ高い位置にある。Ｓは、０〜０、５ｍｍ又は０〜０，４ｍｍ又は０，１〜０３ｍｍで提供される。したがって、第１の上部カッター２８の最上面３６は、ガード２２、２３のプラトー又は最上面３４、３５と比べて皮膚接触領域に向かって突出しているか又はそれらと同じ高さレベルである。
【００４３】
図７は、ガード２２、２３のうちの１つの長手方向（軸ｘに沿ったアンダーカッターの振動方向と同じ方向）を通る断面図を示す。マイクロ櫛構造２９が、歯３７及び歯３７間のギザギザ又はスロット３８を突出することによって形成されている。各歯３７は、幅ｍ、ザギザの最下底又は下部から最も高いプラトー表面３４、３５までの高さｏ、及び次の歯までの距離ｎを有している。スロットの深さ又は歯の高さは、０，２〜０，７ｍｍ又は０，３〜０，６ｍｍに及んでもよい。幅ｍ及び距離ｎは、等しくてもよいし等しくなくてもよく、また０，４〜０，６ｍｍ又は０，３〜０，７ｍｍ又は０，２〜０，５ｍｍに及んでもよい。このようなマイクロ櫛寸法を考慮すると、皮膚は歯間のスロットには入らない場合があるため、ガードは、皮膚炎、及びスロットがない場合と同じような平坦な一様なガードとしての感触は生じさせることがないとして経験される。更に、毛髪は依然として、より長い髪を詰まらせることなくマイクロ櫛構造内に良好に捕らえられて再配向される場合がある。
【００４４】
図７から分かるように、マイクロ櫛構造２９の各歯３７も、隣接する櫛ギザギザ／スロットに向かう方向に丸くなっている３９、４０。
【００４５】
本出願の文脈において、不定冠詞「ａ／ａｎ」の意味は、これに反して指定されない限り、「少なくとも１つ／又はそれ以上」であるとする。更に、幾何学的定義例えば「に垂直な」又は「に平行な」は、正確な数学的意味を含むために、「に少なくとも実質的に垂直な」又は「に少なくとも実質的に平行な」であると理解するものとするが、これに限定されない。更にまた、本明細書で開示した寸法及び値は、列挙した正確な数値に厳密に限定されると理解してはならない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【図１】
0006392992.tif 000002
【図２】
0006392992.tif 000003
【図３】
0006392992.tif 000004
【図４】
0006392992.tif 000005
【図５】
0006392992.tif 000006
【図６】
0006392992.tif 000007
【図７】
0006392992.tif 000008